(57)【要約】【課題】移動を前提としない固定受信機であっても、電子チラシを受信でき、携帯端末に転送することができる電子チラシ配信システム及び電子チラシ配信方法を提供すること。【解決手段】放送局１は、データ放送を用いて、メインスポンサーの提供する商品の情報や、その商品の割引率等の情報、電子チラシ管理サーバ４にアクセスする為のアドレス情報等を含む簡易電子チラシを放送する。テレビ受信機２は、放送局１から放送波を受信し、映像、音声を表示するとともに、データ放送から簡易電子チラシ情報を受信し、この簡易電子チラシ情報を携帯端末３に送信する。携帯端末３は、テレビ受信機２から簡易電子チラシ情報を受信する機能を備え、他方では携帯電話等の通信機能によって電子チラシ管理サーバ４へのアクセスが可能となっており、電子チラシ管理サーバ４から詳細電子チラシ情報を取得する。【選択図】図１
2008217707.tif 000002
【特許請求の範囲】
【請求項１】
電子チラシ配信システムであって、
少なくとも商品情報及び詳細情報を得るためのアクセス先情報を含む簡易電子チラシ情報を送信する簡易電子チラシ情報送信手段を備える放送局と、
電子チラシの詳細情報が格納されたサーバと、
前記簡易電子チラシ情報を受信する受信手段と、
前記簡易電子チラシ情報に基づいて、携帯端末に転送可能な簡易電子チラシファイルを生成する簡易電子チラシファイル生成手段と、
前記簡易電子チラシファイルを送信する簡易電子チラシファイル送信手段と
を備えるテレビ受信機と、
前記簡易電子チラシファイルを受信する簡易電子チラシファイル受信手段と、
前記簡易電子チラシファイルに基づいて、簡易電子チラシを表示する表示手段と、
前記簡易電子チラシに含まれるアクセス先にアクセスし、詳細電子チラシファイルを取得する取得手段と、
前記取得した詳細電子チラシファイルに基づいて、詳細電子チラシを表示する表示手段と
を備える携帯端末と
を有することを特徴とする電子チラシ配信システム。
【請求項２】
前記簡易電子チラシ情報送信手段は、簡易電子チラシ情報をイベントメッセージのプライベート領域に格納して送信することを特徴とする請求項１に記載の電子チラシ配信システム。
【請求項３】
前記簡易電子チラシ情報送信手段は、簡易電子チラシ情報をバイナリーテーブルに格納して送信することを特徴とする請求項１に記載の電子チラシ配信システム。
【請求項４】
前記簡易電子チラシ情報はメインスポンサーの情報を含み、前記詳細電子チラシファイルはサブスポンサーの情報を含むことを特徴とする請求項１から請求項３のいずれかに記載の電子チラシ配信システム。
【請求項５】
前記簡易電子チラシファイル送信手段と前記簡易電子チラシファイル受信手段とは、非接触型の送受信手段であることを特徴とする請求項１から請求項４のいずれかに記載の電子チラシ配信システム。
【請求項６】
前記簡易電子チラシファイル生成手段は、ＢＭＬにより、放送された簡易電子チラシ情報を抽出することを特徴とする請求項１から請求項５のいずれかに記載の電子チラシ配信システム。
【請求項７】
簡易電子チラシ情報及びサブスポンサーの募集情報を、前記サーバに登録する端末と、
前記登録された簡易電子チラシ情報及びサブスポンサーの募集情報を閲覧し、サブスポンサーへのエントリー情報を、前記サーバに登録する端末と
を備えることを特徴とする請求項１から請求項６のいずれかに記載の電子チラシ配信システム。
【請求項８】
電子チラシ配信方法であって、
放送局から、少なくとも商品情報及び詳細情報を得るためのアクセス先情報を含む簡易電子チラシ情報を送信し、
テレビ受信機により、前記簡易電子チラシ情報を受信し、前記簡易電子チラシ情報に基づいて、携帯端末に転送可能な簡易電子チラシファイルを生成し、前記簡易電子チラシファイルを、携帯端末に送信し、
携帯端末により、前記簡易電子チラシファイルを受信し、前記簡易電子チラシファイルに基づいて簡易電子チラシを表示し、前記簡易電子チラシに含まれるアクセス先にアクセスし、詳細電子チラシファイルを取得する
ことを特徴とする電子チラシ配信方法。
【請求項９】
放送局は、簡易電子チラシ情報をイベントメッセージのプライベート領域に格納して送信することを特徴とする請求項８に記載の電子チラシ配信方法。
【請求項１０】
放送局は、簡易電子チラシ情報をバイナリーテーブルに格納して送信することを特徴とする請求項８に記載の電子チラシ配信方法。
【請求項１１】
前記簡易電子チラシ情報はメインスポンサーの情報を含み、前記詳細電子チラシファイルはサブスポンサーの情報を含むことを特徴とする請求項８から請求項１０のいずれかに記載の電子チラシ配信方法。
【請求項１２】
簡易電子チラシファイルを、非接触型の通信方法により、送受信することを特徴とする請求項８から請求項１１のいずれかに記載の電子チラシ配信方法。
【請求項１３】
放送された簡易電子チラシ情報を、ＢＭＬにより抽出することを特徴とする請求項８から請求項１２のいずれかに記載の電子チラシ配信方法。
【請求項１４】
メインスポンサーが、簡易電子チラシ情報及びサブスポンサーの募集情報を登録し、前記登録された簡易電子チラシ情報及びサブスポンサーの募集情報を、サブスポンサーが閲覧してエントリー情報を登録することを特徴とする請求項８から請求項１３のいずれかに記載の電子チラシ配信方法。
【発明の詳細な説明】
【技術分野】
【０００１】
本発明は電子チラシ配信システム及び電子チラシ配信方法に関し、特に、移動を前提としない固定受信機で放送された電子チラシを受信し、これを携帯端末に転送する電子チラシ配信システム及び電子チラシ配信方法に関する。
【背景技術】
【０００２】
従来、ディジタル放送等において、放送コンテンツの一部として電子チラシを放送にて配布し、電子チラシを受信した視聴者に対して、電子チラシを放送したスポンサーの販売する物品の購入において割引等の特典を提供するサービスが知られている。
【０００３】
また、放送した電子チラシに基づいてサービスサーバにアクセスさせ、サービスサーバは、その電子チラシに関連する商品やサービスに関して１対１にてマーケティングコミュニケーション等を行うためのデマンドの要求を行い、デマンドへの回答内容に応じた特典の更新データを生成して送信する技術も知られている（例えば、特許文献１）。
【特許文献１】特開２００５−１５７６９６号公報
【発明の開示】
【発明が解決しようとする課題】
【０００４】
上述した従来の技術は、テレビ受信機能を持つ携帯電話のように、通信機能とテレビ受信機能とを併せ持つ端末を前提としており、固定受信機のように移動を前提としない受信機を考慮したものではない。何故なら、受信した電子チラシは商品の購入の際に店舗側に提示しなければならず、電子チラシが記憶された端末は手軽に移動できるものでなければならないからである。しかしながら、現在の視聴形態のほとんどは、固定の受信機による視聴である。
【０００５】
また、従来の技術は、広告を放送するスポンサー（以下、メインスポンサーと称する）の為の電子チラシを前提にしているものであり、実際に広告の商品を販売する小売店などを考慮した形態ではなかった。
【０００６】
そこで、本発明は上記課題に鑑みて発明されたものであって、その目的は、移動を前提としない固定受信機であっても、電子チラシを受信でき、携帯端末に転送することができる電子チラシ配信システム及び電子チラシ配信方法を提供することにある。
【０００７】
また、本発明の目的は、メインスポンサーと、実際に商品を販売する小売店等のサブスポンサーとを結びつける新しい形の広告形態を実現することができる電子チラシ配信システム及び電子チラシ配信方法を提供することにある。
【課題を解決するための手段】
【０００８】
上記課題を解決する本発明は、電子チラシ配信システムであって、少なくとも商品情報及び詳細情報を得るためのアクセス先情報を含む簡易電子チラシ情報を送信する簡易電子チラシ情報送信手段を備える放送局と、電子チラシの詳細情報が格納されたサーバと、前記簡易電子チラシ情報を受信する受信手段と、前記簡易電子チラシ情報に基づいて、携帯端末に転送可能な簡易電子チラシファイルを生成する簡易電子チラシファイル生成手段と、前記簡易電子チラシファイルを送信する簡易電子チラシファイル送信手段とを備えるテレビ受信機と、前記簡易電子チラシファイルを受信する簡易電子チラシファイル受信手段と、前記簡易電子チラシファイルに基づいて、簡易電子チラシを表示する表示手段と、前記簡易電子チラシに含まれるアクセス先にアクセスし、詳細電子チラシファイルを取得する取得手段と、前記取得した詳細電子チラシファイルに基づいて、詳細電子チラシを表示する表示手段とを備える携帯端末とを有することを特徴とする。
【０００９】
上記課題を解決する本発明は、電子チラシ配信方法であって、放送局から、少なくとも商品情報及び詳細情報を得るためのアクセス先情報を含む簡易電子チラシ情報を送信し、テレビ受信機により、前記簡易電子チラシ情報を受信し、前記簡易電子チラシ情報に基づいて、携帯端末に転送可能な簡易電子チラシファイルを生成し、前記簡易電子チラシファイルを、携帯端末に送信し、携帯端末により、前記簡易電子チラシファイルを受信し、前記簡易電子チラシファイルに基づいて簡易電子チラシを表示し、前記簡易電子チラシに含まれるアクセス先にアクセスし、詳細電子チラシファイルを取得することを特徴とする。
【発明の効果】
【００１０】
本発明によれば、移動を前提としない固定受信機であっても、電子チラシを受信でき、受信した電子チラシを移動可能な携帯端末に転送することができる。
【００１１】
また、本発明によれば、携帯端末からは、電子チラシに掲載されているスポンサー情報のみならず、商品を特典で購入できる店舗情報等のサブスポンサー情報も取得することができ、より、便利な電子チラシを配布可能となる。
【００１２】
また、本発明は、メインスポンサーと、実際に商品を販売する小売店等のサブスポンサーとを結びつける新しい形の広告形態を実現することができる。
【発明を実施するための最良の形態】
【００１３】
本発明の実施の形態を、図面を参照して説明する。
【００１４】
図１は本発明の電子チラシ提供システムの概略構成を示すシステム図である。図１において、本発明の実施の形態による電子チラシ提供システムは、放送局１と、テレビ受信機２と、インターネットのような通信網に接続可能な携帯端末３と、電子チラシ管理サーバ４とから構成されている。
【００１５】
放送局１は、テレビ受信機２に向けたディジタルテレビ放送サービスを実施している。このディジタルテレビ放送サービスのコンテンツには映像、音声放送と同時にデータ放送が実施されている。このデータ放送を用いて、放送局１は、メインスポンサーの提供する商品の情報や、その商品の割引率等の情報、電子チラシ管理サーバ４にアクセスする為のアドレス情報等を含む簡易電子チラシを放送する。ここで、メインスポンサーとは、放送する広告のスポンサー等である。
【００１６】
テレビ受信機２は、放送局１から放送波を受信し、映像、音声を表示するとともに、データ放送から簡易電子チラシ情報を受信し、この簡易電子チラシ情報を携帯端末３に送信する機能を有する。テレビ受信機２から携帯端末３に、簡易電子チラシ情報を送信する通信方法としては、非接触ＩＣカード転送方式（FeliCa）や、ブルートゥース、WiFiなどの無線方式、QRコード、映像電子すかし、音声信号への多重、赤外線、メモリ経由他の利用が考えられる。
【００１７】
電子チラシ管理サーバ４は、詳細電子チラシ情報を、簡易電子チラシ情報に基づいてアクセスしてくる携帯端末３に対して送信する。詳細電子チラシ情報は、サブスポンサーの情報を含み、例えば、簡易電子チラシに記載されているメインスポンサーの提供する商品を販売する小売店名や、その商品の割引率が適用される期間などの情報である。
【００１８】
携帯端末３は、テレビ受信機２から簡易電子チラシ情報を受信する機能を備え、他方では携帯電話等の通信機能によって電子チラシ管理サーバ４へのアクセスが可能となっており、電子チラシ管理サーバ４から詳細電子チラシ情報を取得する。取得した詳細電子チラシ情報は携帯端末３に記憶され、商品の購入の際に店員に見せたり、非接触ＩＣカード転送方式（FeliCa）により、レジシステムに詳細電子チラシ情報を認識させたりして、購入者は商品の購入に伴う特典を得る。
【００１９】
次に、各構成の詳細について述べる。
【００２０】
図２は放送局１の構成を示すブロック図である。図２において、放送局１は、ＭＰＥＧ２／ＡＡＣエンコード１１と、データ放送送出部１２と、簡易電子チラシ情報送出部１３と、多重化部１４と、変調・送出部１５と、運行管理システム１６とを備える。
【００２１】
ＭＰＥＧ２／ＡＡＣエンコード１１は、映像・音声をＭＰＥＧ２又はＡＡＣにエンコードして多重化部１４に出力する。
【００２２】
データ放送送出部１２は、通常のデータ放送のコンテンツデータの送出だけでなく、データ放送のデータから簡易電子チラシ情報を抽出し、この簡易電子チラシ情報を後述する受信機２の簡易電子チラシファイル生成部に送出する為のＢＭＬ（Broadcast Markup Language）を送出する。尚、ＢＭＬについては後述する。
【００２３】
簡易電子チラシ情報送出部１３は、簡易電子チラシ情報を送出するものであり、簡易電子チラシ情報を載せるものとしては、イベントメッセージや、イベントメッセージだけではなく、カルーセル伝送や、他のＥＳ、ＡＣ（オグジュアリーチャンネル）、ＰＣＲなどが考えられるが、ここでは、イベントメッセージを用い、イベントメッセージのプライベート領域に簡易電子チラシ情報を格納する例を説明する。尚、ここで、簡易電子チラシ情報とは、電子チラシの基本情報であり、少なくともメインスポンサーの情報（例えば、スポンサー名や、チラシ対象商品等）と電子チラシ管理サーバ４のリンク先を含む。
【００２４】
多重化部１４は、ＭＰＥＧ２／ＡＡＣエンコード１１から送出される映像・音声と、データ放送送出部１２から送出されるＢＭＬ等のデータ放送コンテンツと、簡易電子チラシ情報送出部１３から送出される簡易電子チラシ情報が記載されたイベントメッセージとを多重して、変調・送出部１５に送出する。
【００２５】
変調・送出部１５は、多重化されたストリームを変調して送出する。
【００２６】
運行管理システム１６は、簡易電子チラシ情報が記載されたイベントメッセージの送出タイミング等を管理する。
【００２７】
図３はテレビ受信機２の構成を示すブロック図である。図３において、テレビ受信機２は、復調部２１と、分離部２２と、ＭＰＥＧ２デコーダ２３と、ＢＭＬブラウザ２４と、簡易電子チラシファイル生成部２５と、簡易電子チラシファイル送信部２６とを備える。
【００２８】
復調部２１は、受信した放送局１からの放送波を復調する。
【００２９】
分離部２２は、復調されたデータから、映像・音声と、イベントメッセージやデータ放送とのデータに分離する。
【００３０】
ＭＰＥＧ２デコーダ２３は、映像・音声をデコードする。
【００３１】
ＢＭＬブラウザ２４は、データ放送によって放送される簡易電子チラシファイル生成部に送出する為のＢＭＬにより、受信したイベントメッセージから簡易電子チラシ情報を抽出して、簡易電子チラシファイル生成部２５に送出する。ここで、ＢＭＬブラウザ２４によって動作するＢＭＬであるが、受信したイベントメッセージから簡易電子チラシ情報を抽出する関数が記載されている。また、簡易電子チラシファイル生成部２５が外部機器として設定される場合、例えば、ARIB STD-B24や、TR-B14に規定されたtrasmitTextDataOverIP()、launchDocument()、launchDocumentRestricted()、launchExApp()、printUri()、X_DPA_launchDocWithLink()、X_DPA_startResidentApp()、X_DPA_mailTo()、sendTextMail()、sendMIMEMail()等がある。
更に、簡易電子チラシを受信した場合、テレビ受信機３のディスプレイに、簡易電子チラシが受信されたことを示すマークを表示するようなスクリプトを加えても良い。
【００３２】
簡易電子チラシファイル生成部２５は、簡易電子チラシが携帯端末３で表示できる形式に、抽出された簡易電子チラシ情報を変換して簡易電子チラシファイルを生成する。
【００３３】
簡易電子チラシファイル送信部２６は、簡易電子チラシファイルを携帯端末３に送出する。具体的には、送信部は非接触ＩＣカード転送方式（FeliCa）によるデバイスである。
【００３４】
図４は携帯端末３の構成を示すブロック図である。図４において、携帯端末３は、簡易電子チラシファイル受信部３１と、電子チラシ格納部３２と、詳細電子チラシ受信部３３と、表示部３４と、制御部３５とを備える。
【００３５】
簡易電子チラシファイル受信部３１は、簡易電子チラシファイルを受信し、電子チラシ格納部３２に格納する。具体的には、受信部は非接触ＩＣカード転送方式（FeliCa）によるデバイスである。
【００３６】
詳細電子チラシ受信部３３は、表示部３４に表示された簡易電子チラシを見たユーザの指示により、簡易電子チラシのリンク先、すなわち、電子チラシ管理サーバ４にアクセスして詳細電子チラシファイルを取得し、電子チラシ格納部３２に格納する。
【００３７】
制御部３５は、電子チラシ格納部３２から簡易電子チラシファイル、又は、詳細電子チラシファイルを読み出し、簡易電子チラシ、又は、詳細電子チラシを表示部３４に表示したり、簡易電子チラシに記載されているリンク先へのアクセスを制御したりする。
【００３８】
図５は電子チラシ管理サーバ４の構成を示すブロック図である。図５において、電子チラシ管理サーバ４は、通信部５１と、電子チラシ情報格納部５２と、制御部５３とを備える。
【００３９】
電子チラシ情報格納部５２は、簡易電子チラシ情報及び詳細電子チラシ情報を格納するハードディスクである。
【００４０】
制御部５３は、簡易電子チラシ情報を電子チラシ情報格納部５２から読み出し、通信部５１を介して放送局１に送信したり、簡易電子チラシに基づいてアクセスしてきた携帯端末３に、詳細電子チラシ情報を送信したりする。
【００４１】
以上のような構成において、具体的な動作を説明する。
【００４２】
以下の説明では、簡易電子チラシ情報には、スポンサー名『会社Ｘ』と、商品名『シャンプーＡ』と、割引率等の特典内容の情報、リンク先の電子チラシ管理サーバ４のアドレスが記載されており、詳細電子チラシ情報には、商品『シャンプーＡ』の詳細情報（画像も含む）、商品『シャンプーＡ』を販売している小売店名と、特典内容の詳細情報（期間、その他の特典）が記載されているものとして説明する。
【００４３】
まず、放送局１の運行管理システム１６は、運行表に基づいて電子チラシ管理サーバ４から簡易電子チラシ情報を取得し、簡易電子チラシ情報送出部１３に送出する。簡易電子チラシ情報送出部１３は、イベントメッセージのプライベート領域に、簡易電子チラシ情報として、スポンサー名『会社Ｘ』と、商品名『シャンプーＡ』と、割引率等の特典内容の情報、リンク先の電子チラシ管理サーバ４のアドレスを記載して送出する。一方、データ放送送出部１２は、データ放送のデータから簡易電子チラシ情報を抽出し、この簡易電子チラシ情報を簡易電子チラシファイル生成部に送信する為のＢＭＬ（Broadcast Markup Language）を送出している。
【００４４】
多重化部１４は、ＭＰＥＧ２／ＡＡＣエンコード１１から送出される映像・音声と、データ放送送出部１２から送出されるＢＭＬ等のデータ放送コンテンツと、簡易電子チラシ情報送出部１３から送出される簡易電子チラシ情報が記載されたイベントメッセージとを多重して、変調・送出部１５に送出する。
【００４５】
テレビ受信機２では、分離部２２により、復調されたデータから、映像・音声と、イベントメッセージやデータ放送とに分離される。そして、ＢＭＬブラウザ２４は、受信したイベントメッセージから簡易電子チラシ情報を抽出して、簡易電子チラシファイル生成部２５に送出する。送出される情報は、スポンサー名『会社Ｘ』、商品名『シャンプーＡ』、割引率等の特典内容の情報及びリンク先の電子チラシ管理サーバ４のアドレスである。
【００４６】
簡易電子チラシファイル生成部２５は、簡易電子チラシが携帯端末３で表示できる形式に、抽出された簡易電子チラシ情報を変換して簡易電子チラシファイルを生成する。そして、視聴者が、携帯端末３を、テレビ受信機２の簡易電子チラシファイル送信部２６に接触させると、簡易電子チラシファイルが携帯端末３に転送される。
【００４７】
簡易電子チラシファイルが携帯端末３に転送されると、電子チラシ格納部３２に格納後、表示部３４に簡易電子チラシが表示される。表示される内容は、スポンサー名『会社Ｘ』、商品名『シャンプーＡ』、割引率等の特典内容の情報及びリンク先の電子チラシ管理サーバ４のアドレスである。視聴者は、これらの情報を見て、更に、詳細な情報を得たいと思った場合、電子チラシ管理サーバ４にアクセスする。
【００４８】
簡易電子チラシに基づいて電子チラシ管理サーバ４にアクセスがあった場合、対応する詳細電子チラシ情報を読み出す。ここでは、商品名『シャンプーＡ』の詳細情報（画像も含む）、商品『シャンプーＡ』を販売している小売店名と、特典内容の詳細情報（期間、割引率等）である。これらの情報は、携帯端末３に送信される。
【００４９】
携帯端末３では、詳細電子チラシ情報を受信し、これを格納する。そして、視聴者が商品Ａ購入する際、詳細電子チラシを提示することにより、視聴者は特典を得る。
【００５０】
上述の如く、本実施の形態によれば、移動を前提としない固定受信機であっても、電子チラシを受信でき、受信した電子チラシを移動可能な携帯端末に転送することができる。更に、携帯端末からは、電子チラシに掲載されている商品を特典で購入できる店舗情報等を取得することが可能であり、より、便利な電子チラシを配布可能となる。
尚、上述の実施の形態では、放送局として、地上デジタルを放送する放送局を例にしたが、これに限らず、同様な放送を行う放送局であれば良く、例えば、ケーブル放送の放送局も含まれる。
また、上述の実施の形態では、ＢＭＬブラウザ２４により、受信したイベントメッセージから簡易電子チラシ情報を抽出するように構成したが、これに限られない。例えば、ＢＭＬブラウザ２４の抽出機能と同様な機能を備えるアプリケーションをテレビ受信機に設け、このアプリケーションにより、受信したイベントメッセージのプライベート領域から簡易電子チラシ情報を抽出するように構成しても良い。
＜第２の実施の形態＞
第２の実施の形態は、第１の実施の形態の構成に加えて、電子チラシのスポンサーのエントリシステムを備えることを特徴とする。
【００５１】
図６は第２の実施の形態を説明する為の図である。
【００５２】
図６に示す如く、第２の実施の形態は、メインスポンサーの端末６１と、複数のサブスポンサーの端末６２とを更に備える。
【００５３】
メインスポンサーの端末６１は、メインスポンサーが自社の商品広告に添付する電子チラシの情報を、電子チラシ管理サーバ４に登録する為の端末である。また、小売店に割引協力を依頼しなければならない場合、サブスポンサーに電子チラシへの募集をかける募集情報も登録する。
【００５４】
電子チラシ管理サーバ４は、登録された電子チラシ情報及び募集情報を複数のサブスポンサーの端末６２から閲覧可能に設定する。
【００５５】
複数のサブスポンサーの端末６２は、電子チラシ情報及び募集情報を閲覧する。そして、メインスポンサーが提示した電子チラシの特典条件（例えば、店舗側原資持ちの割引キャンペーン等）に合致した商品販売が可能なサブスポンサーは、端末６２により、参加エントリーを行う。具体的には、店舗情報、特典適用期間等を入力する。入力された情報は、詳細電子チラシ情報として、電子チラシ管理サーバ４に登録される。
【００５６】
このような構成によれば、メインスポンサーと、実際に商品を販売する小売店等のサブスポンサーとを結びつける新しい形の広告形態を実現することができる。
【図面の簡単な説明】
【００５７】
【図１】図１は本発明の電子チラシ提供システムの概略構成を示すシステム図である。
【図２】図２は放送局１の構成を示すブロック図である。
【図３】図３はテレビ受信機２の構成を示すブロック図である。
【図４】図４は携帯端末３の構成を示すブロック図である。
【図５】図５は電子チラシ管理サーバ４の構成を示すブロック図である。
【図６】図６は第２の実施の形態を説明する為の図である。
【符号の説明】
【００５８】
１          放送局
２          テレビ受信機
３          携帯端末
４          電子チラシ管理サーバ
【図１】
2008217707.tif 000003
【図２】
2008217707.tif 000004
【図３】
2008217707.tif 000005
【図４】
2008217707.tif 000006
【図５】
2008217707.tif 000007
【図６】
2008217707.tif 000008